(57)【要約】【課題】  使用環境の変化に応じ、電子機器のＰＣ設定変更を行なうことがユーザにとって煩雑であり、この煩雑さを低減することが課題になっていた。【解決手段】  実施形態の電子機器は、予め設定された外部機器の接続を検出する接続検出部を備える。  また、上記接続が検出された場合に、予め設定されたデータテーブルに基づいて利用環境を判定し、予め設定された第１のＰＣ設定を適用する第１の適用部を備える。【選択図】  図４
2013225269.tif 000002
【特許請求の範囲】
【請求項１】
予め設定された外部機器の接続を検出する接続検出部と、
前記接続が検出された場合に、予め設定されたデータテーブルに基づいて利用環境を判定し、予め設定された第１のＰＣ設定を適用する第１の適用部を備える電子機器。
【請求項２】
予め設定された前記外部機器の接続取り外しを検出する取り外し検出部と、
前記取り外しが検出された場合に、予め設定されたデータテーブルに基づいて利用環境を判定し、予め設定された第２のＰＣ設定を適用する第２の適用部を備える請求項１に記載の電子機器。
【請求項３】
前記外部機器が接続または取り外された場合の設定が可能な設定部を備える請求項１または２に記載の電子機器。
【請求項４】
前記予め設定されたデータテーブルを記憶する記憶部を備える請求項１または２に記載の電子機器。
【請求項５】
前記外部機器の接続または取り外しの検出に、前記外部機器の固有ＩＤが用いられる請求項１または２に記載の電子機器。
【請求項６】
前記第１または第２のＰＣ設定は変更可能である請求項１または２に記載の電子機器。
【請求項７】
予め設定された外部機器の接続を検出するステップと、
前記接続が検出された場合に、予め設定されたデータテーブルに基づいて利用環境を判定し、予め設定された第１のＰＣ設定を適用するステップを備える電子機器の制御方法。
【請求項８】
予め設定された外部機器の接続を検出するステップと、
前記接続が検出された場合に、予め設定されたデータテーブルに基づいて利用環境を判定し、予め設定された第１のＰＣ設定を適用するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
外部周辺機器を接続し、機器準備を自動的に実行する情報処理装置（電子機器）が提案されている。
【先行技術文献】
【特許文献】
【０００３】
【特許文献１】特開２００１−２３６３０２号公報
【発明の概要】
【発明が解決しようとする課題】
【０００４】
しかし、使用環境が変化した場合は、ユーザが電子機器のＰＣ設定を変更する必要があった。
【０００５】
このため、使用環境の変化に応じ、電子機器のＰＣ設定変更を行なうことがユーザにとって煩雑であり、この煩雑さを低減することが課題になっていた。
【課題を解決するための手段】
【０００６】
実施形態の電子機器は、予め設定された外部機器の接続を検出する接続検出部を備える。
【０００７】
また、上記接続が検出された場合に、予め設定されたデータテーブルに基づいて利用環境を判定し、予め設定された第１のＰＣ設定を適用する第１の適用部を備える。
【図面の簡単な説明】
【０００８】
【図１】実施形態に係わる電子機器の外観を示す図。
【図２】実施形態に係わる電子機器の構成を示すブロック図。
【図３】実施形態に係わる電子機器の利用形態の例を示す図。
【図４】実施形態に係わる電子機器のおおまかな動作を説明するフローチャート。
【図５】実施形態に係わる電子機器の記憶部に記憶されたデータテーブルを示す図。
【図６】実施形態に係わる電子機器において、外部機器が接続または取り外された場合の設定が行われるようすを示す図。
【図７】実施形態に係わる電子機器において、外部周辺機器（テレビ）が接続された場合、および外部周辺機器（テレビ）の接続が外された場合に、ＰＣ設定動作が行なわれるようすを説明するフローチャート。
【図８】実施形態に係わる電子機器において、外部周辺機器（プロジェクタ）が接続された場合、および外部周辺機器（プロジェクタ）の接続が外された場合に、ＰＣ設定動作が行なわれるようすを説明するフローチャート。
【図９】実施形態に係わる電子機器の、外部周辺機器（テレビ）が接続された場合、および外部周辺機器（テレビ）の接続が外された場合の、動作を説明するフローチャート。
【図１０】実施形態に係わる電子機器の、外部周辺機器（プロジェクタ）が接続された場合、および外部周辺機器（プロジェクタ）の接続が外された場合の、動作を説明するフローチャート。
【発明を実施するための形態】
【０００９】
以下、図面を参照し、実施の形態を説明する。
【００１０】
図１は、実施形態に係わる電子機器の外観を示す図である。
【００１１】
ここでは、電子機器３１は、例えばノートブックタイプのパーソナルコンピュータ（ノートＰＣ、またはＰＣ）として実現されている。
【００１２】
なお、この電子機器３１は、パーソナルコンピュータに限られず、例えば、ＴＶや携帯電話、携帯型の電子機器等に適用することも可能である。
【００１３】
電子機器３１は、例えば、コンピュータ（ノートＰＣ）本体１１と、映像表示部１２とから構成されている。映像表示部１２には、例えば、ＬＣＤ（ｌｉｑｕｉｄ  ｃｒｙｓｔａｌ  ｄｉｓｐｌａｙ）１７が組み込まれている。
【００１４】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１５】
コンピュータ（ノートＰＣ）本体１１は、薄い箱形の筐体を有しており、その上面には、キーボード１３、電子機器３１を電源オン／電源オフするためのパワーボタン１４、タッチパッド１６、スピーカ１８Ａ，１８Ｂなどが配置されている。
【００１６】
また、コンピュータ（ノートＰＣ）本体１１の、例えば、右側面には、ＵＳＢ（ｕｎｉｖｅｒｓａｌ  ｓｅｒｉａｌ  ｂｕｓ）２．０規格のＵＳＢケーブルやＵＳＢデバイスを接続するためのＵＳＢコネクタ１９が設けられている。
【００１７】
さらに、コンピュータ（ノートＰＣ）本体１１の背面には、例えばＨＤＭＩ(ｈｉｇｈ−ｄｅｆｉｎｉｔｉｏｎ  ｍｕｌｔｉｍｅｄｉａ  ｉｎｔｅｒｆａｃｅ)規格に対応した外部ディスプレイ接続端子が設けられている（図示せず）。この外部ディスプレイ接続端子は、デジタル映像信号を外部ディスプレイに出力するために用いられる。
【００１８】
また、この電子機器３１は、特に図示しないが、放送番組の受信録画やメール等の自動受信、ニュースサイト等の更新確認のために、例えば、時間を設定して電子機器を自動的に起動させる。
【００１９】
図２は、実施形態に係わる電子機器の構成を示すブロック図である。
【００２０】
電子機器３１は、例えば、図２に示すように、ＣＰＵ（ｃｅｎｔｒａｌ  ｐｒｏｃｅｓｓｉｎｇ  ｕｎｉｔ）１０１、システムメモリ１０３、サウスブリッジ１０４、ＧＰＵ（Ｇｒａｐｈｉｃｓ  Ｐｒｏｃｅｓｓｉｎｇ  Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備える。
【００２１】
ＣＰＵ１０１は、電子機器３１内の各部の動作を制御するプロセッサである。
【００２２】
ＣＰＵ１０１は、ＢＩＯＳ−ＲＯＭ１０７に格納されたＢＩＯＳを実行する。ＢＩＯＳは、ハードウェア制御のためのプログラムである。ＣＰＵ１０１には、システムメモリ１０３をアクセス制御するメモリコントローラも内蔵されている。また、例えば、ＰＣＩ ＥＸＰＲＥＳＳ規格のシリアルバスなどを介してＧＰＵ１０５との通信を実行する機能も有している。
【００２３】
ＧＰＵ１０５は、電子機器３１のディスプレイモニタとして使用されるＬＣＤ１７を制御する表示コントローラである。
【００２４】
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００２５】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２６】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Ｌｏｗ Ｐｉｎ Ｃｏｕｎｔ）バス上の各デバイスを制御する。また、サウスブリッジ１０４は、ＨＤＤ１０９及びＯＤＤ１１０を制御するためのＩＤＥ（Ｉｎｔｅｇｒａｔｅｄ Ｄｒｉｖｅ Ｅｌｅｃｔｒｏｎｉｃｓ）コントローラを内蔵している。
【００２７】
さらに、サウスブリッジ１０４は、サウンドコントローラ１０６との通信を実行する機能も有している。
【００２８】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ ８０２．１１ｇ規格の無線通信を実行する無線通信デバイスである。ＵＳＢコントローラ１１１Ａは、例えばＵＳＢ ２．０規格に対応した外部機器との通信を実行する。
【００２９】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３０】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器３１を電源オン／電源オフする機能を有している。
【００３１】
この実施の形態における表示制御は、例えば、ＣＰＵ１０１がシステムメモリ１０３やＨＤＤ１０９等に記録されたプログラムを実行させることにより行われる。
【００３２】
図３は、実施形態に係わる電子機器の利用形態の例を示す図である。
【００３３】
ここでは、電子機器（ノートＰＣ）３１に、複数の利用環境で、異なる外部周辺機器が接続されたり、接続が外されたりするようすを示している。
【００３４】
例えば、ユーザは電子機器（ノートＰＣ）３１を持ち運び、事務所と会議室の間を移動する例を用いて説明する。
【００３５】
ここでは、例えば、電子機器（ノートＰＣ）３１が置かれる環境の例として環境「Ａ」、環境「Ｂ」、環境「Ｃ」の3つの環境を定義する。
【００３６】
例えば、第１の定義は、環境「Ａ」である。
【００３７】
この環境「Ａ」は、場所は「事務所」である。そして、利用形態は「ユーザの机上で外部機器（テレビＤ）を接続」する形態である。
【００３８】
すなわち、図３に示すように、電子機器（ノートＰＣ）３１に、外部機器（テレビＤ３２）が接続される。
【００３９】
また、第２の定義は、環境「Ｂ」である。
【００４０】
この環境「Ｂ」は、場所は「会議室」である。そして、利用形態は「会議室に設置された外部機器（プロジェクタＥ）を接続」する形態である。
【００４１】
すなわち、図３に示すように、電子機器（ノートＰＣ）３１に、外部機器（プロジェクタＥ３３）が接続される。
【００４２】
また、第３の定義は、環境「Ｃ」である。
【００４３】
この環境「Ｃ」は、場所は「上記事務所および会議室以外」である。そして、利用形態は「上記事務所および会議室以外の場所、または移動中」である。
【００４４】
例えば、図３に示すように、電子機器（ノートＰＣ）３１には、外部機器（テレビＤ３２）や外部機器（プロジェクタＥ３３）は取り外されており、接続されていない。
【００４５】
図４は、実施形態に係わる電子機器のおおまかな動作を説明するフローチャートである。
【００４６】
この実施形態においては、上記のように、環境「Ａ」、環境「Ｂ」、環境「Ｃ」等の環境が定義される（ステップ４１）。
【００４７】
また、上記のように、「事務所」や「会議室」、あるいは事務所、会議室以外で、電子機器（ノートＰＣ）３１に対し、テレビＤ３２やプロジェクタＥ３３等の外部機器が接続されたり、接続が外されたりする（ステップ４２）。
【００４８】
また、電子機器（ノートＰＣ）３１に対し、外部機器が接続されたり、接続が外されたりした場合に、例えば、予め設定されたデータテーブル（図５、後述）に基づいて、利用環境が判定される（ステップ４３）。
【００４９】
また、判定された利用環境に応じ、例えば、予め設定されたＰＣ設定が適用、すなわち、環境が反映される（ステップ４４）。
【００５０】
すなわち、この実施形態においては、環境「Ａ」、環境「Ｂ」、環境「Ｃ」等の条件と、この条件を満たしたときのＰＣ設定を保存する環境定義ステップと、外部機器（テレビＤ３２）や外部機器（プロジェクタＥ３３）を接続したり、取り外したりした際に、環境定義ステップにて保存した条件と一致するか否かを判定する環境判別ステップと、環境判別ステップにて条件が一致したと判定された場合に、環境定義ステップで保存したＰＣ設定を反映させる環境反映ステップを備えている。
【００５１】
図５は、実施形態に係わる電子機器の記憶部に記憶されたデータテーブルを示す図である。
【００５２】
ここでは、このデータテーブルは、例えば、電子機器（ノートＰＣ）３１の記憶部（ＥＥＰＲＯＭ１１４）に記憶されている。
【００５３】
このデータテーブルの内容は、後述する図６に示すように、設定や変更が可能である。
【００５４】
例えば、上記環境「Ａ」は、電子機器（ノートＰＣ）３１に外部機器（テレビＤ３２）が接続される利用形態に関するＰＣ設定が記憶されている。
【００５５】
ここで、ＰＣ設定とは、電子機器（ノートＰＣ）３１の使用に係る各種設定である。
【００５６】
この実施形態においては、環境判定利用周辺機器が外部機器（テレビＤ３２）の場合に、環境「Ａ」と判定される。
【００５７】
このとき、外部機器（テレビＤ３２）は、個々の機器を判別可能な固有ＩＤ、例えば、製造番号データ等を用い、環境判定利用周辺機器の判定が行なわれる。
【００５８】
この実施形態においては、例えば、電子機器（ノートＰＣ）３１は、外部機器（テレビＤ３２）が接続または接続が外された場合に、外部機器（テレビＤ３２）の固有ＩＤ（例えば、製造番号）を用い、環境「Ａ」を判定する。
【００５９】
そして、このＰＣ設定は、図５に示すように、利用環境プロファイルは「Ａ１」が予め設定されている。ここでは、利用環境プロファイル「Ａ１」は、「有線ＬＡＮは有効、無線ＬＡＮは無効、内蔵タッチバッドは無効」と設定されている。
【００６０】
また同様に、この実施形態においては、例えば、電子機器（ノートＰＣ）３１は、外部機器（プロジェクタＥ３３）が接続または接続が外された場合に、外部機器（プロジェクタＥ３３）の固有ＩＤ（例えば、製造番号）を用い、環境「Ｂ」を判定する。
【００６１】
そして、このＰＣ設定は、図５に示すように、利用環境プロファイルは「Ｂ１」が予め設定されている。ここでは、利用環境プロファイル「Ｂ１」は、「有線ＬＡＮは無効、無線ＬＡＮは有効、内蔵タッチバッドは有効」と設定されている。
【００６２】
また、この実施形態においては、例えば、電子機器（ノートＰＣ）３１は、上記外部機器（テレビＤ３２やプロジェクタＥ３３）が接続されていない場合は、環境「Ｃ」を判定する。
【００６３】
そして、このＰＣ設定は、図５に示すように、利用環境プロファイルは「Ｃ１」が予め設定されている。ここでは、利用環境プロファイル「Ｃ１」は、「特定ファイルへのアクセス権を禁止する」と設定されている。
【００６４】
図６は、実施形態に係わる電子機器において、外部機器が接続または取り外された場合の設定が行われるようすを示す図である。
【００６５】
ここでは、例えば、電子機器（ノートＰＣ）３１に外部機器（テレビＤ３２）が接続または取り外された場合の設定例を用い、説明する。
【００６６】
ここでは、例えば、図６（ａ）に示すように、電子機器（ノートＰＣ）３１に外部機器（テレビＤ３２）が接続された状態で、この実施形態に係る環境設定が行なわれる。
【００６７】
そして、例えば、電子機器（ノートＰＣ）３１に外部機器（テレビＤ３２）が接続されると、図６（ａ）に示すように、例えば、表示部１７に、環境設定可能なデバイス候補がリスト表示される。
【００６８】
ユーザは、この表示部１７に表示されたデバイス候補リストから、環境設定を行うデバイスを指定する。ここでは、例えば、外部機器（テレビＤ３２）が指定される。
【００６９】
続いて、図６（ｂ）に示すように、例えば、表示部１７に、「外部機器（テレビＤ３２）が接続された場合のＰＣ設定」画面が表示される。
【００７０】
ここでは、一例として、ユーザは、有線ＬＡＮ、無線ＬＡＮ、内蔵タッチパッド、セキュリティ設定等をＰＣ設定として設定することが可能になっている。なお、ＰＣ設定の項目はこれらに限られず、他の事項を含んでも良い。
【００７１】
そして、ユーザは、有線ＬＡＮは有効６１ａ、無線ＬＡＮは無効６１ｂ、内蔵タッチパッドは無効６１ｃ、セキュリティ設定はロック解除６１ｄを指定し、ＰＣ設定が設定される。
【００７２】
次に、電子機器（ノートＰＣ）３１から外部機器（テレビＤ３２）の接続が外された状態を想定した環境設定を行なう。
【００７３】
そして、図６（ｃ）に示すように、例えば、表示部１７に、「外部機器（テレビＤ３２）の接続が外された場合のＰＣ設定」画面が表示される。
【００７４】
ここでも、一例として、ユーザは、有線ＬＡＮ、無線ＬＡＮ、内蔵タッチパッド、セキュリティ設定等をＰＣ設定として設定することが可能になっている。なお、ＰＣ設定の項目はこれらに限られず、他の事項を含んでも良い。
【００７５】
そして、ユーザは、有線ＬＡＮは有効６２ａ、無線ＬＡＮは無効６２ｂ、内蔵タッチパッドは無効６２ｃ、セキュリティ設定はロック６２ｄを指定し、ＰＣ設定が設定される。
【００７６】
なお、上記図６（ｂ）または図６（ｃ）で説明したＰＣ設定は、適宜、変更可能である。
【００７７】
図７は、実施形態に係わる電子機器において、外部周辺機器（テレビ）が接続された場合、および外部周辺機器（テレビ）の接続が外された場合に、ＰＣ設定動作が行なわれるようすを説明するフローチャートである。
【００７８】
ステップＳ１００は、ここでの開始ステップである。続いて、ステップＳ１０１に進む。
【００７９】
ステップＳ１０１は、環境判別設定する「外部周辺機器（テレビＤ３２）」を、電子機器（ＰＣ）３１に接続するステップである。続いて、ステップＳ１０２に進む。
【００８０】
ステップＳ１０２は、図６（ａ）に示すように、電子機器（ＰＣ）３１は、表示部１７に、環境判別設定が可能なデバイス（外部周辺機器）候補を表示するステップである。続いて、ステップＳ１０３に進む。
【００８１】
ステップＳ１０３は、環境判別設定するデバイス（外部周辺機器、ここでは「外部周辺機器（テレビＤ３２）」）を、ユーザが指定するステップである。続いて、ステップＳ１０４に進む。
【００８２】
ステップＳ１０４は、既存のプロファイルを流用するかを指定するステップである。既存のプロファイルを流用すると指定される場合は、ステップＳ１０５に進む（Ｙｅｓ）。既存のプロファイルを流用すると指定されない場合は、ステップＳ１０６に進む（Ｎｏ）。
【００８３】
ステップＳ１０５は、既存プロファイルを選択するステップである。このＰＣ設定は、例えば、ＥＥＰＲＯＭ１１４に記憶されている。続いて、ステップＳ１０６に進む。
【００８４】
ステップＳ１０６は、図６（ｂ）に示すように、「外部周辺機器（テレビＤ３２）」が接続された場合の、ＰＣ設定画面を表示するステップである。続いて、ステップＳ１０７に進む。
【００８５】
ステップＳ１０７は、「外部周辺機器（テレビＤ３２）」が接続された場合のＰＣ設定を行なうステップである。続いて、ステップＳ１０８に進む。
【００８６】
ステップＳ１０８は、ＰＣ設定をプロファイルとして保存するステップである。既存プロファイルを流用し、変更を加えた場合は、上書き保存するかどうかを選択する。上書き保存する場合は、既存プロファイルに対して上書き保存する。上書き保存しない場合、および既存プロファイルを流用しない場合は、新規プロファイルとして保存する。
【００８７】
このＰＣ設定は、例えば、ＥＥＰＲＯＭ１１４に記憶される。続いて、電子機器（ノートＰＣ）３１から外部機器（テレビＤ３２）の接続が外された状態を想定した環境設定を行なうために、ステップＳ１０９に進む。
【００８８】
ステップＳ１０９は、例えば、ユーザが、既存のプロファイルを流用するかを指定するステップである。既存のプロファイルを流用すると指定される場合は、ステップＳ１１０に進む（Ｙｅｓ）。既存のプロファイルを流用すると指定されない場合は、ステップＳ１１１に進む（Ｎｏ）。
【００８９】
ステップＳ１１０は、既存プロファイルを選択するステップである。続いて、ステップＳ１１１に進む。
【００９０】
ステップＳ１１１は、図６（ｃ）に示すように、「外部周辺機器（テレビＤ３２）」の接続が外された場合のＰＣ設定画面を表示するステップである。続いて、ステップＳ１１２に進む。
【００９１】
ステップＳ１１２は、「外部周辺機器（テレビＤ３２）」の接続が外された場合のＰＣ設定を行なうステップである。続いて、ステップＳ１１３に進む。
【００９２】
ステップＳ１１３は、ＰＣ設定をプロファイルとして保存するステップである。このＰＣ設定は、例えば、ＥＥＰＲＯＭ１１４に記憶される。続いて、ステップＳ１１４に進む。
【００９３】
ステップＳ１１４は、終了ステップであり、ここでの処理は終了する。
【００９４】
すなわち、この実施形態においては、例えば、事務所での利用環境（環境Ａ）を設定するため、環境判別に使用する外部周辺機器として外部機器（テレビＤ３２）を指定する。
【００９５】
そして、外部機器（テレビＤ３２）が接続された状態（環境Ａ）でＰＣ設定が行なわれる。
【００９６】
また、環境ＡはプロファイルＡ１として保存される。
【００９７】
また同様に、環境Ａ以外（外部機器（テレビＤ３２）の接続が外された状態（環境Ｃ））のＰＣ設定を行い、同様に、環境ＣをプロファイルＣ１として保存する。
【００９８】
図８は、実施形態に係わる電子機器において、外部周辺機器（プロジェクタ）が接続された場合、および外部周辺機器（プロジェクタ）の接続が外された場合に、ＰＣ設定動作が行なわれるようすを説明するフローチャートである。
【００９９】
ステップＳ２０１は、環境判別設定する「外部周辺機器（プロジェクタＥ３３）」を、電子機器（ＰＣ）３１に接続するステップである。続いて、ステップＳ２０２に進む。
【０１００】
ステップＳ２０２は、図６（ａ）に示すように、電子機器（ＰＣ）３１は、表示部１７に、環境判別設定が可能なデバイス（外部周辺機器）の候補を表示するステップである。続いて、ステップＳ２０３に進む。
【０１０１】
ステップＳ２０３は、環境判別設定するデバイス（外部周辺機器、ここでは「外部周辺機器（プロジェクタＥ３３）」）を、ユーザが指定するステップである。続いて、ステップＳ２０４に進む。
【０１０２】
ステップＳ２０４は、ユーザが、既存のプロファイルを流用するかを指定するステップである。既存のプロファイルを流用すると指定される場合は、ステップＳ２０５に進む（Ｙｅｓ）。既存のプロファイルを流用すると指定されない場合は、ステップＳ２０６に進む（Ｎｏ）。
【０１０３】
ステップＳ２０５は、既存プロファイルを選択するステップである。続いて、ステップＳ２０６に進む。
【０１０４】
ステップＳ２０６は、図６（ｂ）に示すように、「外部周辺機器（プロジェクタＥ３３）」が接続された場合のＰＣ設定画面を表示するステップである。続いて、ステップＳ２０７に進む。
【０１０５】
ステップＳ２０７は、「外部周辺機器（プロジェクタＥ３３）」が接続された場合のＰＣ設定を行なうステップである。続いて、ステップＳ２０８に進む。
【０１０６】
ステップＳ２０８は、ＰＣ設定をプロファイルとして保存するステップである。このＰＣ設定は、例えば、ＥＥＰＲＯＭ１１４に記憶される。続いて、電子機器（ノートＰＣ）３１から外部機器（プロジェクタＥ３３）の接続が外された状態を想定した環境設定を行なうために、ステップＳ２０９に進む。
【０１０７】
ステップＳ２０９は、既存のプロファイルを流用するかを指定するステップである。既存のプロファイルを流用すると指定される場合は、ステップＳ２１０に進む（Ｙｅｓ）。既存のプロファイルを流用しないと指定される場合は、ステップＳ２１１に進む（Ｎｏ）。
【０１０８】
ステップＳ２１０は、既存プロファイルを選択するステップである。続いて、ステップＳ２１１に進む。
【０１０９】
ステップＳ２１１は、図６（ｃ）に示すように、「外部周辺機器（プロジェクタＥ３３）」の接続が外された場合のＰＣ設定画面を表示するステップである。続いて、ステップＳ２１２に進む。
【０１１０】
ステップＳ２１２は、「外部周辺機器（プロジェクタＥ３３）」の接続が外された場合のＰＣ設定を行なうステップである。続いて、ステップＳ２１３に進む。
【０１１１】
ステップＳ２１３は、ＰＣ設定をプロファイルとして保存するステップである。ＰＣ設定は、例えば、ＥＥＰＲＯＭ１１４に記憶される。続いて、ステップＳ２１４に進む。
【０１１２】
ステップＳ２１４は、終了ステップであり、ここでの処理は終了する。
【０１１３】
すなわち、会議室での利用環境（環境Ｂ）も上記と同様に設定される。
【０１１４】
ここでは、環境判別に使用する外部周辺機器としてプロジェクタＥが指定される。
【０１１５】
そして、プロジェクタEが接続された状態（環境Ｂ）において、ＰＣ設定が行なわれる。
【０１１６】
そして、環境ＢをプロファイルＢ１として保存する。
【０１１７】
また、プロジェクタＥが外された状態（環境Ｃ）としてプロファイルＣ１が指定される。
【０１１８】
図９は、実施形態に係わる電子機器の、外部周辺機器（テレビ）が接続された場合、および外部周辺機器（テレビ）の接続が外された場合の、動作を説明するフローチャートである。
【０１１９】
ステップＳ３０１は、例えば、事務所で、「外部周辺機器（テレビＤ３２）」を電子機器（ＰＣ）３１に接続するステップである。続いて、ステップＳ３０２に進む。
【０１２０】
ステップＳ３０２は、設定機器（外部周辺機器（テレビＤ３２））の接続を検出したかを判別するステップである。設定機器（外部周辺機器（テレビＤ３２））の接続を検出したと判別される場合は、ステップＳ３０３に進む（Ｙｅｓ）。設定機器（外部周辺機器（テレビＤ３２））の接続を検出しないと判別される場合は、ステップＳ３０７に進む（Ｎｏ）。
【０１２１】
ステップＳ３０３は、接続された機器（固有ＩＤ）の利用環境を判定し、ＰＣ設定に予め設定されたプロファイルを適用するステップである。例えば、図５のデータテーブルに基づいて、「外部周辺機器（テレビＤ３２）」が接続された場合の利用環境「Ａ」を判定し、プロファイルＡ１を適用する。プロファイルＡ１は、例えば、有線ＬＡＮは有効、無線ＬＡＮは無効、内蔵タッチバッドは無効である。続いて、ステップＳ３０４に進む。
【０１２２】
ステップＳ３０４は、会議室へ移動するために、ユーザが、「外部周辺機器（テレビＤ３２）」の接続を取り外すステップである。続いて、ステップＳ３０５に進む。
【０１２３】
ステップＳ３０５は、設定機器（外部周辺機器（テレビＤ３２））の取り外しを検出したかを判別するステップである。設定機器（外部周辺機器（テレビＤ３２））の取り外しが検出されたと判別される場合は、ステップＳ３０６に進む（Ｙｅｓ）。設定機器（外部周辺機器（テレビＤ３２））の取り外しが検出されないと判別される場合は、ステップＳ３０７に進む（Ｎｏ）。
【０１２４】
ステップＳ３０６は、接続が外された機器（固有ＩＤ）の利用環境を判定し、ＰＣ設定に予め設定されたプロファイルを適用するステップである。例えば、図５のデータテーブルに基づいて、「外部周辺機器（テレビＤ３２）」の接続が外された場合の利用環境「Ｃ」を判定し、プロファイル「Ｃ１」を適用する（例えば、特定ファイルへのアクセス権禁止）。続いて、ステップＳ３０７に進む。
【０１２５】
ステップＳ３０７は、終了ステップであり、ここでの処理は終了する。
【０１２６】
図１０は、実施形態に係わる電子機器の、外部周辺機器（プロジェクタ）が接続された場合、および外部周辺機器（プロジェクタ）の接続が外された場合の、動作を説明するフローチャートである。
【０１２７】
ステップＳ４０１は、例えば、会議室で、「外部周辺機器（プロジェクタＥ３３）」を電子機器（ＰＣ）３１に接続するステップである。続いて、ステップＳ４０２に進む。
【０１２８】
ステップＳ４０２は、設定機器（外部周辺機器（プロジェクタＥ３３））の接続を検出したかを判別するステップである。設定機器（外部周辺機器（プロジェクタＥ３３））の接続を検出したと判別される場合は、ステップＳ４０３に進む（Ｙｅｓ）。設定機器（外部周辺機器（プロジェクタＥ３３））の接続を検出しないと判別される場合は、ステップＳ４０７に進む（Ｎｏ）。
【０１２９】
ステップＳ４０３は、接続された機器（固有ＩＤ）の利用環境を判定し、ＰＣ設定に予め設定されたプロファイルを適用するステップである。例えば、図５のデータテーブルに基づいて、「外部周辺機器（プロジェクタＥ３３）」が接続された場合の利用環境「Ｂ」を判定し、プロファイルＢ１を適用する。ここでは、有線ＬＡＮは無効、無線ＬＡＮは有効、内蔵タッチバッドは有効が適用される。続いて、ステップＳ４０４に進む。
【０１３０】
ステップＳ４０４は、事務所へ移動するために「外部周辺機器（プロジェクタＥ３３）」の接続を取り外すステップである。続いて、ステップＳ４０５に進む。
【０１３１】
ステップＳ４０５は、設定機器（外部周辺機器（プロジェクタＥ３３））の取り外しが検出されたかを判別するステップである。設定機器（外部周辺機器（プロジェクタＥ３３））の取り外しが検出されたと判別される場合は、ステップＳ４０６に進む（Ｙｅｓ）。設定機器（外部周辺機器（プロジェクタＥ３３））の取り外しが検出されないと判別される場合は、ステップＳ４０７に進む（Ｎｏ）。
【０１３２】
ステップＳ４０６は、接続が外された機器（固有ＩＤ）の利用環境を判定し、ＰＣ設定に予め設定されたプロファイルを適用するステップである。例えば、図５のデータテーブルに基づいて、「外部周辺機器（プロジェクタＥ３３）」の接続が外された場合の利用環境「Ｃ」を判定し、プロファイル「Ｃ１」を適用する。例えば、特定ファイルへのアクセス権禁止である。続いて、ステップＳ４０７に進む。
【０１３３】
ステップＳ４０７は、終了ステップであり、ここでの処理は終了する。
【０１３４】
すなわち、この実施形態においては、上記環境定義ステップにおいて、電子機器（ＰＣ）３１の利用環境が保存されたら、環境判別ステップおよび環境反映ステップにより、電子機器（ＰＣ）３１の各種設定が自動的に行われる。
【０１３５】
例えば、事務所で、電子機器（ＰＣ）３１に外部機器（テレビＤ）が接続されると、接続が検出される。
【０１３６】
ＰＣ利用環境が環境Ａであると判定され、プロファイルＡ１が適用されることにより、有線ＬＡＮが有効、無線ＬＡＮが無効、内蔵タッチパッドが無効となる。
【０１３７】
また、会議室に移動するために外部機器（テレビＤ）を取り外すと、この接続の取り外しが検出される。
【０１３８】
そして、ＰＣ利用環境が環境Ｃであると判定され、プロファイルＣ１が適用され、特定ファイルへのアクセス権が禁止される。
【０１３９】
また、例えば、会議室でプロジェクタEを接続すると、接続が検出される。
【０１４０】
そして、ＰＣ利用環境が環境Ｂであると判定され、プロファイルＢ１が適用されることにより、有線ＬＡＮが無効、無線ＬＡＮが有効、内蔵タッチパッドが有効となり、特定ファイルへのアクセス権が再び許可される。
【０１４１】
すなわち、この実施形態に係る電子機器は、予め設定された外部機器の接続を検出する接続検出部（ＣＰＵ１０１）を備える。
【０１４２】
また、上記接続が検出された場合に、予め設定されたデータテーブル（例えば、図５）に基づいて利用環境を判定し、予め設定された第１のＰＣ設定を適用する第１の適用部（ＣＰＵ１０１）を備える。
【０１４３】
また、予め設定された上記外部機器の接続取り外しを検出する取り外し検出部（ＣＰＵ１０１）を備える。
【０１４４】
また、上記取り外しが検出された場合に、予め設定されたデータテーブルに基づいて利用環境を判定し、予め設定された第２のＰＣ設定を適用する第２の適用部（ＣＰＵ１０１）を備える。
【０１４５】
また、上記外部機器が接続または取り外された場合の設定が可能な設定部（図６）を備える。
【０１４６】
また、上記予め設定されたデータテーブルを記憶する記憶部（ＥＥＰＲＯＭ１１４）を備える。
【０１４７】
また、上記外部機器の接続または取り外しの検出に、上記外部機器の固有ＩＤが用いられる。
【０１４８】
また、上記第１または第２のＰＣ設定は変更可能である。
【０１４９】
また、他の実施形態として、複数の環境判別用周辺機器を指定し、より詳細なＰＣ設定を行うことも可能である。
【０１５０】
また、この実施形態はソフトウェアとして実装したり、この実施形態に係る機能を組み込んだ外部周辺機器として実施したりすることも可能である。
【０１５１】
上記のように構成することによって、この実施形態においては、使用環境の変化に応じた電子機器のＰＣ設定変更の煩雑さを低減することが可能になる。
【０１５２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１５３】
なお、上記実施形態は、記述そのものに限定されるものではなく、実施段階では、その趣旨を逸脱しない範囲で、構成要素を種々変形して具体化することが可能である。
【０１５４】
また、上記実施形態に開示されている複数の構成要素の適宜な組み合せにより種々の発明を形成できる。
【０１５５】
例えば、実施形態に示される全構成要素から幾つかの構成要素を削除してもよい。更に、異なる実施形態に亘る構成要素を適宜組み合せてもよい。
【符号の説明】
【０１５６】
１７…表示部、３１…電子機器、３２…外部機器（テレビＤ）、３３…外部機器（プロジェクタＥ）、１０１…ＣＰＵ、１１４…ＥＥＰＲＯＭ。
【図１】
2013225269.tif 000003
【図２】
2013225269.tif 000004
【図３】
2013225269.tif 000005
【図４】
2013225269.tif 000006
【図５】
2013225269.tif 000007
【図６】
2013225269.tif 000008
【図７】
2013225269.tif 000009
【図８】
2013225269.tif 000010
【図９】
2013225269.tif 000011
【図１０】
2013225269.tif 000012
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
外部機器が接続される外部機器接続端子と、
前記外部機器接続端子に前記外部機器が接続されたことを検出する接続検出部と、
前記外部機器接続端子に前記外部機器が接続されたことが検出された場合に、予め設定されたデータテーブルに基づいて利用環境を判定し、予め設定された第１のＰＣ設定を適用する第１の適用部と
を備える電子機器。
【請求項２】
外部機器が接続された外部機器接続端子と、
前記外部機器接続端子から前記外部機器が取り外されたことを検出する取り外し検出部と、
前記外部機器接続端子から前記外部機器が取り外されたことが検出された場合に、予め設定されたデータテーブルに基づいて利用環境を判定し、予め設定された第２のＰＣ設定を適用する第２の適用部を備える請求項１に記載の電子機器。
【請求項３】
前記外部機器が前記外部機器接続端子に接続または取り外された場合の設定が可能な設定部を備える請求項１または２に記載の電子機器。
【請求項４】
前記第１のＰＣ設定には複数の項目が含まれておりユーザが変更可能である請求項１に記載の電子機器。
【請求項５】
前記第２のＰＣ設定には複数の項目が含まれておりユーザが変更可能である請求項２に記載の電子機器。
【請求項６】
前記外部機器接続端子への前記外部機器の接続または取り外しの検出に、前記外部機器の固有ＩＤが用いられる請求項１または２に記載の電子機器。
【請求項７】
外部機器が電子機器の外部機器接続端子に接続されたことを検出するステップと、
前記外部機器接続端子に前記電子機器が接続されたことが検出された場合に、予め設定されたデータテーブルに基づいて利用環境を判定し、予め設定された第１のＰＣ設定を適用するステップと
を備える電子機器の制御方法。
【請求項８】
外部機器が電子機器の外部機器接続端子に接続されたことを検出するステップと、
前記外部機器接続端子に前記電子機器が接続されたことが検出された場合に、予め設定されたデータテーブルに基づいて利用環境を判定し、予め設定された第１のＰＣ設定を適用するステップと
を前記電子機器に実行させる電子機器の制御プログラム。
【手続補正２】
【補正対象書類名】明細書
【補正対象項目名】０００６
【補正方法】変更
【補正の内容】
【０００６】
実施形態の電子機器は、外部機器が接続される外部機器接続端子と、前記外部機器接続端子に前記外部機器が接続されたことを検出する接続検出部と、前記外部機器接続端子に前記外部機器が接続されたことが検出された場合に、予め設定されたデータテーブルに基づいて利用環境を判定し、予め設定された第１のＰＣ設定を適用する第１の適用部とを備える。
【手続補正３】
【補正対象書類名】明細書
【補正対象項目名】０００７
【補正方法】削除
【補正の内容】